(57)【要約】【課題】送信先の通信装置によって単位データが受信される時点間の間隔の変動を抑制することが可能な転送装置を提供すること。【解決手段】転送装置１０００は、受信された単位データが、ＯＡＭ情報を含む場合において、処理実行条件が成立しているとき、ＯＡＭ情報に基づいてＯＡＭ処理を実行するＯＡＭ処理実行部１００１と、送信条件が成立した場合において、単位データがＯＡＭ情報を含まないとき、単位データに、送信条件に対応付けられたＯＡＭ情報を追加した単位データを生成し且つ単位データを送信し、一方、送信条件が成立した場合において、単位データがＯＡＭ情報を含み且つＯＡＭ情報に基づくＯＡＭ処理の実行が完了しているとき、単位データに含まれるＯＡＭ情報を、送信条件に対応付けられたＯＡＭ情報に置換した単位データを生成し且つ単位データを送信する単位データ送信部１００２と、を備える。【選択図】図９
2013157683.tif 000002
【特許請求の範囲】
【請求項１】
ある通信装置から受信した単位データを他の通信装置へ送信する転送装置であって、
受信された単位データが、ＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）機能を実現するための情報であるＯＡＭ情報を含む場合において、当該ＯＡＭ情報に対応付けられた所定の処理実行条件が成立しているとき、当該ＯＡＭ情報に基づいてＯＡＭ処理を実行するＯＡＭ処理実行手段と、
所定の送信条件が成立した場合において、受信された単位データがＯＡＭ情報を含まないとき、当該単位データに前記送信条件に対応付けられたＯＡＭ情報を追加した単位データを生成し且つ当該生成された単位データを送信し、一方、前記送信条件が成立した場合において、受信された単位データがＯＡＭ情報を含み、且つ、当該ＯＡＭ情報に基づくＯＡＭ処理の実行が完了しているとき、当該単位データに含まれるＯＡＭ情報を、前記送信条件に対応付けられたＯＡＭ情報に置換した単位データを生成し且つ当該生成された単位データを送信する単位データ送信手段と、
を備える転送装置。
【請求項２】
請求項１に記載の転送装置であって、
前記単位データ送信手段は、予め設定された送信周期が経過する毎に受信される単位データに、前記ＯＡＭ情報を追加するように構成された転送装置。
【請求項３】
請求項２に記載の転送装置であって、
前記単位データ送信手段は、通信装置間の接続を確認するためのＣＣ（Ｃｏｎｔｉｎｕｉｔｙ  Ｃｈｅｃｋ）機能において設定される、ＣＣＭ（Ｃｏｎｔｉｎｕｉｔｙ  Ｃｈｅｃｋ  Ｍｅｓｓａｇｅ）の送信周期、又は、当該ＣＣ機能において設定される、ＣＣＭを受信する間隔の上限となる閾値よりも短い周期を、前記送信周期として用いる単位データに、前記ＯＡＭ情報を追加するように構成された転送装置。
【請求項４】
請求項１乃至請求項３のいずれかに記載の転送装置であって、
同期通信を行う複数の通信網間のデータを中継する通信網を構成する転送装置。
【請求項５】
請求項４に記載の転送装置であって、
擬似ワイヤ・エミュレーション（ＰＷＥ；Ｐｓｅｕｄｏ−Ｗｉｒｅ  Ｅｍｕｌａｔｉｏｎ）を実現するように構成された転送装置。
【請求項６】
ある通信装置から受信した単位データを他の通信装置へ送信する転送装置に適用され、
受信された単位データが、ＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）機能を実現するための情報であるＯＡＭ情報を含む場合において、当該ＯＡＭ情報に対応付けられた所定の処理実行条件が成立しているとき、当該ＯＡＭ情報に基づいてＯＡＭ処理を実行し、
所定の送信条件が成立した場合において、受信された単位データがＯＡＭ情報を含まないとき、当該単位データに前記送信条件に対応付けられたＯＡＭ情報を追加した単位データを生成し且つ当該生成された単位データを送信し、一方、前記送信条件が成立した場合において、受信された単位データがＯＡＭ情報を含み、且つ、当該ＯＡＭ情報に基づくＯＡＭ処理の実行が完了しているとき、当該単位データに含まれるＯＡＭ情報を、前記送信条件に対応付けられたＯＡＭ情報に置換した単位データを生成し且つ当該生成された単位データを送信する、転送装置制御方法。
【請求項７】
請求項６に記載の転送装置制御方法であって、
予め設定された送信周期が経過する毎に受信される単位データに、前記ＯＡＭ情報を追加するように構成された転送装置制御方法。
【請求項８】
ある通信装置から受信した単位データを他の通信装置へ送信する転送装置に、
受信された単位データが、ＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）機能を実現するための情報であるＯＡＭ情報を含む場合において、当該ＯＡＭ情報に対応付けられた所定の処理実行条件が成立しているとき、当該ＯＡＭ情報に基づいてＯＡＭ処理を実行し、
所定の送信条件が成立した場合において、受信された単位データがＯＡＭ情報を含まないとき、当該単位データに前記送信条件に対応付けられたＯＡＭ情報を追加した単位データを生成し且つ当該生成された単位データを送信し、一方、前記送信条件が成立した場合において、受信された単位データがＯＡＭ情報を含み、且つ、当該ＯＡＭ情報に基づくＯＡＭ処理の実行が完了しているとき、当該単位データに含まれるＯＡＭ情報を、前記送信条件に対応付けられたＯＡＭ情報に置換した単位データを生成し且つ当該生成された単位データを送信する、処理を実現させるための転送装置制御プログラム。
【請求項９】
請求項８に記載の転送装置制御プログラムであって、
予め設定された送信周期が経過する毎に受信される単位データに、前記ＯＡＭ情報を追加するように構成された転送装置制御プログラム。
【発明の詳細な説明】
【技術分野】
【０００１】
本発明は、ある通信装置から受信した単位データを他の通信装置へ送信する転送装置に関する。
【背景技術】
【０００２】
ある通信装置から受信した単位データを他の通信装置へ送信する転送装置が知られている。単位データは、予め定められた形式を有するデータである。例えば、単位データは、パケット、又は、フレームである。
【０００３】
この種の転送装置の一つとして、特許文献１に記載の転送装置は、ＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）機能を実現するための情報であるＯＡＭ情報を含むＯＡＭ単位データを、ＯＡＭ情報を含まない非ＯＡＭ単位データ（例えば、ある通信装置から受信し、且つ、他の通信装置へ送信される予定の単位データ）と独立に生成する。
【０００４】
ＯＡＭ機能は、通信システムを保守及び管理するための機能である。ＯＡＭ機能は、例えば、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）  Ｙ．１７３１及びＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  ８０２．１ａｇにより規定されている。
【０００５】
転送装置は、単位データを送信するための処理を、単位データ毎に順次、実行する。更に、転送装置は、非ＯＡＭ単位データと、ＯＡＭ単位データと、の両方を送信する予定である場合、ＯＡＭ単位データを非ＯＡＭ単位データに優先して送信する。
【０００６】
また、転送装置は、ＯＡＭ単位データを受信した場合、ＯＡＭ単位データに含まれるＯＡＭ情報と対応付けられた処理実行条件が成立しているとき、当該ＯＡＭ情報に基づいてＯＡＭ処理を実行する。これにより、転送装置は、ＯＡＭ機能（例えば、通信装置との間の接続を確認する機能等）を実現する。
【先行技術文献】
【特許文献】
【０００７】
【特許文献１】特開２００９−２７８４５１号公報
【発明の概要】
【発明が解決しようとする課題】
【０００８】
ところで、上記転送装置においては、非ＯＡＭ単位データの間に、ＯＡＭ単位データが割り込むように並べられた順に従って、単位データが順次、送信される。従って、転送装置によって連続して受信された２つの非ＯＡＭ単位データが受信された時点間の間隔よりも、当該２つの非ＯＡＭ単位データが送信される時点間の間隔が大きくなる。
【０００９】
また、ＯＡＭ単位データが単位時間あたりに送信される数は、比較的大きく変動する。従って、転送装置によって連続して受信された２つの非ＯＡＭ単位データが送信先の通信装置によって受信される時点間の間隔が、比較的大きく変動してしまう、という問題があった。
【００１０】
更に、複数の転送装置が接続されている場合、各転送装置においてＯＡＭ単位データが新たに生成されるため、上記のような問題は、より一層顕著になる。また、転送装置が擬似ワイヤ・エミュレーション（ＰＷＥ；Ｐｓｅｕｄｏ−Ｗｉｒｅ  Ｅｍｕｌａｔｉｏｎ）を実現するように構成されている場合、疑似ワイヤの数が増加するほど、上記のような問題は、より一層顕著になる。
【００１１】
このため、本発明の目的は、上述した課題である「送信先の通信装置によって単位データが受信される時点間の間隔が比較的大きく変動してしまう場合が生じること」を解決することが可能な転送装置を提供することにある。
【課題を解決するための手段】
【００１２】
かかる目的を達成するため本発明の一形態である転送装置は、ある通信装置から受信した単位データを他の通信装置へ送信する装置である。
【００１３】
更に、この転送装置は、
受信された単位データが、ＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）機能を実現するための情報であるＯＡＭ情報を含む場合において、当該ＯＡＭ情報に対応付けられた所定の処理実行条件が成立しているとき、当該ＯＡＭ情報に基づいてＯＡＭ処理を実行するＯＡＭ処理実行手段と、
所定の送信条件が成立した場合において、受信された単位データがＯＡＭ情報を含まないとき、当該単位データに上記送信条件に対応付けられたＯＡＭ情報を追加した単位データを生成し且つ当該生成された単位データを送信し、一方、上記送信条件が成立した場合において、受信された単位データがＯＡＭ情報を含み、且つ、当該ＯＡＭ情報に基づくＯＡＭ処理の実行が完了しているとき、当該単位データに含まれるＯＡＭ情報を、上記送信条件に対応付けられたＯＡＭ情報に置換した単位データを生成し且つ当該生成された単位データを送信する単位データ送信手段と、
を備える。
【００１４】
また、本発明の他の形態である転送装置制御方法は、
ある通信装置から受信した単位データを他の通信装置へ送信する転送装置に適用され、
受信された単位データが、ＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）機能を実現するための情報であるＯＡＭ情報を含む場合において、当該ＯＡＭ情報に対応付けられた所定の処理実行条件が成立しているとき、当該ＯＡＭ情報に基づいてＯＡＭ処理を実行し、
所定の送信条件が成立した場合において、受信された単位データがＯＡＭ情報を含まないとき、当該単位データに上記送信条件に対応付けられたＯＡＭ情報を追加した単位データを生成し且つ当該生成された単位データを送信し、一方、上記送信条件が成立した場合において、受信された単位データがＯＡＭ情報を含み、且つ、当該ＯＡＭ情報に基づくＯＡＭ処理の実行が完了しているとき、当該単位データに含まれるＯＡＭ情報を、上記送信条件に対応付けられたＯＡＭ情報に置換した単位データを生成し且つ当該生成された単位データを送信する方法である。
【００１５】
また、本発明の他の形態である転送装置制御プログラムは、
ある通信装置から受信した単位データを他の通信装置へ送信する転送装置に、
受信された単位データが、ＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）機能を実現するための情報であるＯＡＭ情報を含む場合において、当該ＯＡＭ情報に対応付けられた所定の処理実行条件が成立しているとき、当該ＯＡＭ情報に基づいてＯＡＭ処理を実行し、
所定の送信条件が成立した場合において、受信された単位データがＯＡＭ情報を含まないとき、当該単位データに上記送信条件に対応付けられたＯＡＭ情報を追加した単位データを生成し且つ当該生成された単位データを送信し、一方、上記送信条件が成立した場合において、受信された単位データがＯＡＭ情報を含み、且つ、当該ＯＡＭ情報に基づくＯＡＭ処理の実行が完了しているとき、当該単位データに含まれるＯＡＭ情報を、上記送信条件に対応付けられたＯＡＭ情報に置換した単位データを生成し且つ当該生成された単位データを送信する、処理を実現させるためのプログラムである。
【発明の効果】
【００１６】
本発明は、以上のように構成されることにより、送信先の通信装置によって単位データが受信される時点間の間隔の変動を抑制することができる。
【図面の簡単な説明】
【００１７】
【図１】本発明の第１実施形態に係る通信システムの概略構成を表す図である。
【図２】本発明の第１実施形態に係る転送装置の構成を表すブロック図である。
【図３】本発明の第１実施形態に係るＯＡＭ情報を含まないパケットを概念的に示した説明図である。
【図４】本発明の第１実施形態に係るＯＡＭ情報を含むパケットを概念的に示した説明図である。
【図５】本発明の第１実施形態に係る転送装置が記憶するＯＡＭ処理テーブルを示した図である。
【図６】本発明の第１実施形態に係る転送装置が記憶するＯＡＭ情報テーブルを示した図である。
【図７】本発明の第１実施形態に係る転送装置が実行する処理を示したフローチャートである。
【図８】本発明の第１実施形態に係る転送装置が実行する処理を示したフローチャートである。
【図９】本発明の第２実施形態に係る転送装置の構成を表すブロック図である。
【発明を実施するための形態】
【００１８】
以下、本発明に係る、転送装置、転送装置制御方法、及び、転送装置制御プログラム、の各実施形態について図１〜図９を参照しながら説明する。
【００１９】
＜第１実施形態＞
（構成）
図１に示したように、第１実施形態に係る通信システム１は、複数の変換装置１１，１２と、複数の転送装置２１，２２，…と、を備える。
【００２０】
複数の変換装置１１，１２、及び、複数の転送装置２１，２２，…のそれぞれは、通信を行う通信装置である。複数の変換装置１１，１２、及び、複数の転送装置２１，２２，…は、第１の通信網ＮＷＡ１を構成している。第１の通信網ＮＷＡ１は、非同期通信を行う通信網である。
【００２１】
本例では、第１の通信網ＮＷＡ１は、予め定められた形式を有する単位データを送受信することにより、通信を行う通信網である。本例では、単位データは、パケットである。なお、単位データは、フレーム、又は、セル等であってもよい。
【００２２】
変換装置１１は、第２の通信網ＮＷＳ１も構成している。第２の通信網ＮＷＳ１は、同期通信を行う通信網である。本例では、第２の通信網ＮＷＳ１は、ＴＤＭ（Ｔｉｍｅ  Ｄｉｖｉｓｉｏｎ  Ｍｕｌｔｉｐｌｅｘｉｎｇ）信号を伝送する通信網である。また、変換装置１２は、第３の通信網ＮＷＳ２も構成している。第３の通信網ＮＷＳ２は、同期通信を行う通信網である。本例では、第３の通信網ＮＷＳ２は、ＴＤＭ信号を伝送する通信網である。
【００２３】
変換装置１１は、第２の通信網ＮＷＳ１から受信したＴＤＭ信号を、パケットに変換する。そして、変換装置１１は、当該パケットを第１の通信網ＮＷＡ１へ送信する。また、変換装置１１は、第１の通信網ＮＷＡ１から受信したパケットをＴＤＭ信号に変換する。そして、変換装置１１は、当該ＴＤＭ信号を第２の通信網ＮＷＳ１へ送信する。
【００２４】
同様に、変換装置１２は、第３の通信網ＮＷＳ２から受信したＴＤＭ信号を、パケットに変換する。そして、変換装置１２は、当該パケットを第１の通信網ＮＷＡ１へ送信する。また、変換装置１２は、第１の通信網ＮＷＡ１から受信したパケットをＴＤＭ信号に変換する。そして、変換装置１２は、当該ＴＤＭ信号を第３の通信網ＮＷＳ２へ送信する。
【００２５】
複数の転送装置２１，２２，…は、変換装置１１から受信したパケットを変換装置１２へ伝送（転送）する。同様に、複数の転送装置２１，２２，…は、変換装置１２から受信したパケットを変換装置１１へ伝送する。
【００２６】
このように、通信システム１は、同期通信を行う複数の通信網（本例では、第２の通信網ＮＷＳ１、及び、第３の通信網ＮＷＳ２）間のデータを中継する通信網（本例では、第１の通信網ＮＷＡ１）を構成する。本例では、通信システム１は、擬似ワイヤ・エミュレーション（ＰＷＥ；Ｐｓｅｕｄｏ−Ｗｉｒｅ  Ｅｍｕｌａｔｉｏｎ）を実現する。
【００２７】
転送装置２１は、図２に示したように、複数の受信側処理部１００と、複数の送信側処理部２００と、スイッチング処理部３００と、を備える。なお、図２においては、複数の受信側処理部１００を代表する１つの受信側処理部１００のみが示されている。同様に、図２においては、複数の送信側処理部２００を代表する１つの送信側処理部２００のみが示されている。
【００２８】
受信側処理部１００は、パケット受信部１１０と、受信側パケット処理部１２０と、ＯＡＭ処理部１３０と、を備える。
パケット受信部１１０は、受信側処理部１００と予め対応付けられた通信装置からパケットを受信する。パケット受信部１１０により受信されるパケット（即ち、転送装置２１，２２，…間にて伝送されるパケット）は、図３の（Ａ）、及び、図４の（Ａ）のいずれかに示したパケットである。
【００２９】
即ち、パケットは、図３の（Ａ）に示したように、非ＯＡＭ情報とＦＣＳ（Ｆｒａｍｅ  Ｃｈｅｃｋ  Ｓｅｑｕｅｎｃｅ）とを含む。または、パケットは、図４の（Ａ）に示したように、非ＯＡＭ情報とＯＡＭ情報とＦＣＳとを含む。
【００３０】
ここで、ＯＡＭ情報は、ＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）機能を実現するための情報である。ＯＡＭ機能は、通信システムを保守及び管理するための機能である。
【００３１】
ＯＡＭ機能は、例えば、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）  Ｙ．１７３１及びＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  ８０２．１ａｇにより規定されている。例えば、ＯＡＭ機能は、通信装置との間の接続を確認する機能等である。
【００３２】
非ＯＡＭ情報は、ＯＡＭ情報以外の情報である。本例では、非ＯＡＭ情報は、変換装置１１又は変換装置１２により送信されたパケット（即ち、疑似ワイヤ・パケット）の本体部（ペイロード）である。
パケット受信部１１０は、受信されたパケットを受信側パケット処理部１２０へ出力する。
【００３３】
受信側パケット処理部１２０は、パケット受信部１１０により出力されたパケットを受け付ける。受信側パケット処理部１２０は、受け付けられたパケットの転送先を決定する。更に、受信側パケット処理部１２０は、受け付けられたパケットに対するフィルタリング処理を行う（例えば、予め設定された条件を満足するパケットを廃棄する）。
【００３４】
そして、受信側パケット処理部１２０は、図３の（Ｂ）、及び、図４の（Ｂ）に示したように、決定されたパケットの転送先を表す情報を含む装置内ヘッダを、上記受け付けられたパケットの先頭に付加する。そして、受信側パケット処理部１２０は、装置内ヘッダを含むパケットをＯＡＭ処理部１３０へ出力する。
【００３５】
ＯＡＭ処理部１３０は、パケット解析部１３１と、受信側ＯＡＭ処理部１３２と、ＯＡＭ情報編集部１３３と、ＯＡＭ処理テーブル記憶部１３４と、ＯＡＭ情報テーブル記憶部１３５と、を備える。
【００３６】
パケット解析部１３１は、受信側パケット処理部１２０により出力されたパケットを受け付ける。パケット解析部１３１は、受け付けられたパケットを解析することにより、パケットがＯＡＭ情報を含むか否かを判定する。
【００３７】
ＯＡＭ情報は、図４の（Ｂ）に示したように、フィールド識別情報と、ＯＡＭフラグと、ＯＡＭ  ＰＤＵ（Ｐｒｏｔｏｃｏｌ  Ｄａｔａ  Ｕｎｉｔ）と、を含む。フィールド識別情報は、ＯＡＭ情報であることを表す情報である。ＯＡＭフラグは、ＯＡＭ情報に基づくＯＡＭ処理の実行が完了したか否かを表す情報である。ＯＡＭ  ＰＤＵは、ＯＡＭ処理を特定するための情報であるＯＡＭ  ＩＤ等を含む。
【００３８】
本例では、パケット解析部１３１は、パケットがフィールド識別情報を含む場合、当該パケットがＯＡＭ情報を含むと判定し、一方、パケットがフィールド識別情報を含まない場合、当該パケットがＯＡＭ情報を含まないと判定する。
【００３９】
受信側ＯＡＭ処理部１３２は、パケット解析部１３１により、パケットがＯＡＭ情報を含むと判定された場合、ＯＡＭ情報に含まれるＯＡＭフラグが、ＯＡＭ情報に基づくＯＡＭ処理の実行が完了した旨を表すか否かを判定する。
【００４０】
受信側ＯＡＭ処理部１３２は、ＯＡＭ情報に含まれるＯＡＭフラグが、ＯＡＭ情報に基づくＯＡＭ処理の実行が完了していない旨を表すと判定した場合、ＯＡＭ情報に対応付けられた所定の処理実行条件が成立しているか否かを判定する。
【００４１】
本例では、処理実行条件は、パケットの宛先が自装置（ここでは、転送装置２１）であり、且つ、ＯＡＭ処理の対象となる処理部が受信側処理部であり、且つ、ＯＡＭ情報に含まれるＯＡＭ  ＩＤが、ＯＡＭ処理テーブルに含まれる、という条件である。
【００４２】
ＯＡＭ処理テーブルは、ＯＡＭ処理テーブル記憶部１３４により記憶されている。ＯＡＭ処理テーブルは、図５に示したように、ＯＡＭ  ＩＤと、処理内容情報と、を対応付けたテーブルである。処理内容情報は、ＯＡＭ処理の内容を表す情報である。
【００４３】
受信側ＯＡＭ処理部１３２は、処理実行条件が成立していると判定した場合、ＯＡＭ情報に基づいてＯＡＭ処理を実行する。例えば、受信側ＯＡＭ処理部１３２は、ＣＣ（Ｃｏｎｔｉｎｕｉｔｙ  Ｃｈｅｃｋ）機能を実現するためのＯＡＭ処理を実行する場合、所定の閾値時間が経過するまでの間に、所定のＯＡＭ情報を含むパケットを受信しなかったとき、通信路において障害が発生したと判定する。
【００４４】
更に、この場合、受信側ＯＡＭ処理部１３２は、ＯＡＭ情報に含まれるＯＡＭフラグを、ＯＡＭ情報に基づくＯＡＭ処理の実行が完了した旨を表す情報に更新する。その後、受信側ＯＡＭ処理部１３２は、パケットをＯＡＭ情報編集部１３３へ出力する。
【００４５】
なお、受信側ＯＡＭ処理部１３２は、処理実行条件が成立していないと判定した場合、ＯＡＭ処理を実行することなくパケットをＯＡＭ情報編集部１３３へ出力する。
【００４６】
また、受信側ＯＡＭ処理部１３２は、パケット解析部１３１により、パケットがＯＡＭ情報を含まないと判定された場合、又は、ＯＡＭ情報に含まれるＯＡＭフラグが、ＯＡＭ情報に基づくＯＡＭ処理の実行が完了していない旨を表すと判定した場合、ＯＡＭ処理を実行することなくパケットをＯＡＭ情報編集部１３３へ出力する。
【００４７】
ＯＡＭ情報編集部１３３は、受信側ＯＡＭ処理部１３２により出力されたパケットを受け付ける。そして、ＯＡＭ情報編集部１３３は、複数の送信条件のいずれかが成立しているか否かを判定する。複数の送信条件のそれぞれは、ＯＡＭ処理と予め対応付けられて設定されている。例えば、ＣＣ機能を実現するためのＯＡＭ処理と対応付けられて設定された送信条件の一例は、予め設定された送信周期が経過した、という条件である。
【００４８】
ＯＡＭ情報編集部１３３は、送信条件が成立していると判定した場合において、パケットがＯＡＭ情報を含まないとき、受け付けられたパケットにＯＡＭ情報を追加したパケットを生成する。ＯＡＭ情報編集部１３３は、上記成立していると判定された送信条件と対応付けられたＯＡＭ処理と対応付けられたＯＡＭ情報を追加する。
【００４９】
本例では、ＯＡＭ情報編集部１３３は、ＯＡＭ情報テーブルに基づいて、追加すべきＯＡＭ情報を取得する。ＯＡＭ情報テーブルは、ＯＡＭ情報テーブル記憶部１３５により記憶されている。ＯＡＭ情報テーブルは、図６に示したように、処理内容情報と、ＯＡＭ情報と、を対応付けたテーブルである。
ＯＡＭ情報編集部１３３は、生成されたパケットをスイッチング処理部３００へ出力する。
【００５０】
更に、ＯＡＭ情報編集部１３３は、ＯＡＭ情報を追加する対象となるパケットとして、予め設定された送信周期が経過する毎に転送装置２１により受信されるパケットを用いる。本例では、送信周期は、通信装置間の接続を確認するためのＣＣ機能において設定される、ＣＣＭ（Ｃｏｎｔｉｎｕｉｔｙ  Ｃｈｅｃｋ  Ｍｅｓｓａｇｅ）の送信周期、又は、当該ＣＣ機能において設定される、ＣＣＭを受信する間隔の上限となる閾値よりも短い周期である。
【００５１】
これによれば、ＯＡＭ情報を送信すべき時点（即ち、送信条件が成立した時点）から、当該ＯＡＭ情報を含む単位データの送信が過度に遅れることを防止することができる。
【００５２】
更に、ＯＡＭ情報を含まないパケットが存在するため、このようなパケットに、ＣＣ機能以外の機能（例えば、ＬＢ（ＬｏｏｐＢａｃｋ）機能等）を実現するためのＯＡＭ情報を追加することができる。
【００５３】
なお、ＯＡＭ情報編集部１３３は、任意のパケットにＯＡＭ情報を追加するように構成されていてもよい。
【００５４】
また、ＯＡＭ情報編集部１３３は、送信条件が成立していると判定した場合において、パケットがＯＡＭ情報を含むとき、ＯＡＭ情報に含まれるＯＡＭフラグに基づいて、当該ＯＡＭ情報に基づくＯＡＭ処理の実行が完了しているか否かを判定する。
【００５５】
そして、ＯＡＭ情報編集部１３３は、当該ＯＡＭ処理の実行が完了していると判定した場合、当該パケットに含まれるＯＡＭ情報を、上記成立していると判定された送信条件に対応付けられたＯＡＭ情報に置換したパケットを生成する。上述した場合と同様に、ＯＡＭ情報編集部１３３は、ＯＡＭ情報テーブルに基づいて、置換後のＯＡＭ情報を取得する。
ＯＡＭ情報編集部１３３は、生成されたパケットをスイッチング処理部３００へ出力する。
【００５６】
ＯＡＭ情報編集部１３３は、送信条件のいずれもが成立しない場合、ＯＡＭ情報を追加及び置換することなく、パケットをスイッチング処理部３００へ出力する。また、ＯＡＭ情報編集部１３３は、送信条件が成立していると判定した場合において、パケットがＯＡＭ情報を含み、且つ、当該ＯＡＭ情報に基づくＯＡＭ処理の実行が完了していないとき、ＯＡＭ情報を追加及び置換することなく、パケットをスイッチング処理部３００へ出力する。
【００５７】
このようにして、ＯＡＭ情報を、第１の通信網ＮＷＡ１において伝送されるパケットに含ませる（埋め込む）ことにより、ある通信装置から受信し、且つ、他の通信装置へ送信される予定のパケットの送信が、ＯＡＭパケットの送信が終了するまで待機されることを回避することができる。従って、送信先の通信装置によってパケットが受信される時点間の間隔の変動を抑制することができる。
【００５８】
スイッチング処理部３００は、ＯＡＭ処理部１３０により出力されたパケットを受け付ける。スイッチング処理部３００は、受け付けられたパケットに含まれる装置内ヘッダに基づいて、出力先の送信側処理部２００を特定する。スイッチング処理部３００は、特定された送信側処理部２００へ、受け付けられたパケットを出力する。
【００５９】
送信側処理部２００は、ＯＡＭ処理部２１０と、送信側パケット処理部２２０と、パケット送信部２３０と、を備える。
ＯＡＭ処理部２１０は、パケット解析部２１１と、送信側ＯＡＭ処理部２１２と、ＯＡＭ情報編集部２１３と、ＯＡＭ処理テーブル記憶部２１４と、ＯＡＭ情報テーブル記憶部２１５と、を備える。
【００６０】
パケット解析部２１１は、スイッチング処理部３００により出力されたパケットを受け付ける。パケット解析部２１１は、パケット解析部１３１と同様の機能を有する。送信側ＯＡＭ処理部２１２は、受信側ＯＡＭ処理部１３２と同様の機能を有する。また、ＯＡＭ情報編集部２１３は、ＯＡＭ情報編集部１３３と同様の機能を有する。
【００６１】
更に、ＯＡＭ処理テーブル記憶部２１４は、ＯＡＭ処理テーブル記憶部１３４と同様の機能を有し、且つ、ＯＡＭ情報テーブル記憶部２１５は、ＯＡＭ情報テーブル記憶部１３５と同様の機能を有する。
【００６２】
なお、送信側ＯＡＭ処理部２１２が用いる処理実行条件は、パケットの宛先が自装置（ここでは、転送装置２１）であり、且つ、ＯＡＭ処理の対象となる処理部が送信側処理部であり、且つ、ＯＡＭ情報に含まれるＯＡＭ  ＩＤが、ＯＡＭ処理テーブル記憶部２１４に記憶されているＯＡＭ処理テーブルに含まれる、という条件である。
【００６３】
送信側パケット処理部２２０は、ＯＡＭ情報編集部２１３により出力されたパケットを受け付ける。送信側パケット処理部２２０は、受け付けられたパケットから、装置内ヘッダを除去する処理を含む、ヘッダ編集処理を実行する。その後、送信側パケット処理部２２０は、パケットをパケット送信部２３０へ出力する。即ち、送信側パケット処理部２２０により出力されるパケットは、図３の（Ａ）、及び、図４の（Ａ）のいずれかに示したパケットである。
【００６４】
パケット送信部２３０は、送信側パケット処理部２２０により出力されたパケットを受け付ける。そして、パケット送信部２３０は、受け付けられたパケットを、送信側処理部２００と予め対応付けられた通信装置へ送信する。
【００６５】
ところで、１つの物理リンク（通信回線）には、複数の疑似ワイヤが収容されることが多い。従って、転送装置２１は、疑似ワイヤを識別するとともに、疑似ワイヤ毎にＯＡＭ処理を実行するように構成されていてもよい。更に、この場合、転送装置２１は、疑似ワイヤ毎に、パケットにＯＡＭ情報を追加又は置換するように構成されることが好適である。
【００６６】
以上のような構成により、受信側ＯＡＭ処理部１３２、及び、送信側ＯＡＭ処理部２１２のそれぞれは、ＯＡＭ処理実行手段を構成している。また、ＯＡＭ情報編集部１３３、ＯＡＭ情報編集部２１３のそれぞれは、単位データ送信手段の一部を構成している。加えて、パケット送信部２３０は、単位データ送信手段の一部を構成している。
なお、転送装置２１以外の転送装置２２，…も、転送装置２１と同様の構成を有する。
【００６７】
（作動）
次に、上述した通信システム１の作動について図７及び図８に示したフローチャートを参照しながら説明する。
先ず、転送装置２１は、パケットを受信する（ステップＳ１０１）。次いで、転送装置２１は、受信されたパケットがＯＡＭ情報を含むか否かを判定する（ステップＳ１０２）。
【００６８】
いま、受信されたパケットがＯＡＭ情報を含む場合を想定する。この場合、転送装置２１は、「Ｙｅｓ」と判定してステップＳ１０３へ進み、ＯＡＭ情報に含まれるＯＡＭフラグに基づいて、当該ＯＡＭ情報に基づくＯＡＭ処理の実行が完了していない（未完である）か否かを判定する。
【００６９】
ここでは、ＯＡＭ情報に基づくＯＡＭ処理の実行が未完である場合を想定する。この場合、転送装置２１は、「Ｙｅｓ」と判定してステップＳ１０４へ進み、パケットに含まれるＯＡＭ情報と、記憶されているＯＡＭ処理テーブルと、に基づいて処理内容情報を取得する。
【００７０】
次いで、転送装置２１は、ステップＳ１０４にて処理内容情報が取得された（処理内容情報を取得済みである）か否かを判定する（ステップＳ１０５）。
ここでは、上記ＯＡＭ情報に含まれるＯＡＭ  ＩＤを、ＯＡＭ処理テーブルが含んでいる場合を想定する。この場合、転送装置２１は、ステップＳ１０４にて処理内容情報を取得済みである。従って、転送装置２１は、「Ｙｅｓ」と判定してステップＳ１０６へ進み、取得された処理内容情報に基づいてＯＡＭ処理を実行する。
【００７１】
そして、転送装置２１は、ＯＡＭ情報に含まれるＯＡＭフラグを、ＯＡＭ情報に基づくＯＡＭ処理の実行が完了した旨を表す情報に更新する（ステップＳ１０７）。次いで、転送装置２１は、図８のステップＳ２０１へ進む。
【００７２】
なお、転送装置２１は、受信されたパケットがＯＡＭ情報を含む場合において、ステップＳ１０２へ進んだとき、「Ｎｏ」と判定してステップＳ２０１へ直接進む。
また、転送装置２１は、受信されたパケットがＯＡＭ情報を含み、且つ、ＯＡＭ情報に基づくＯＡＭ処理の実行が完了している場合において、ステップＳ１０３へ進んだとき、「Ｎｏ」と判定してステップＳ２０１へ直接進む。
【００７３】
更に、転送装置２１は、ステップＳ１０４にて処理内容情報を取得できなかった場合（即ち、ＯＡＭ情報に含まれるＯＡＭ  ＩＤを、ＯＡＭ処理テーブルが含んでいない場合）、ステップＳ１０５にて「Ｎｏ」と判定してステップＳ２０１へ直接進む。
【００７４】
次に、ステップＳ２０１以降の処理について説明する。転送装置２１は、ステップＳ２０１に進んだとき、送信条件が成立しているか否かを判定する。
【００７５】
ここでは、いずれかの送信条件が成立している場合を想定する。この場合、転送装置２１は、「Ｙｅｓ」と判定してステップＳ２０２へ進み、上記成立していると判定された送信条件と対応付けられたＯＡＭ処理と対応付けられたＯＡＭ情報を、記憶されているＯＡＭ情報テーブルに基づいて取得する。
【００７６】
次いで、転送装置２１は、ステップＳ２０２にてＯＡＭ情報が取得された（ＯＡＭ情報を取得済みである）か否かを判定する（ステップＳ２０３）。
ここでは、上記成立していると判定された送信条件と対応付けられた処理内容情報を、ＯＡＭ情報テーブルが含んでいる場合を想定する。この場合、転送装置２１は、ステップＳ２０２にてＯＡＭ情報を取得済みである。従って、転送装置２１は、「Ｙｅｓ」と判定してステップＳ２０４へ進み、パケットがＯＡＭ情報を含むか否かを判定する。
【００７７】
ここでは、上記パケットがＯＡＭ情報を含む場合を想定する。この場合、転送装置２１は、「Ｙｅｓ」と判定してステップＳ２０５へ進み、ＯＡＭ情報に含まれるＯＡＭフラグに基づいて、当該ＯＡＭ情報に基づくＯＡＭ処理の実行が完了していない（未完である）か否かを判定する。
【００７８】
ここでは、ＯＡＭ情報に基づくＯＡＭ処理の実行が未完である場合を想定する。この場合、転送装置２１は、「Ｙｅｓ」と判定してステップＳ２０８へ進み、ＯＡＭ情報を追加又は置換することなく、パケットを送信する（ステップＳ２０８）。
【００７９】
一方、転送装置２１は、パケットがＯＡＭ情報を含まない場合において、ステップＳ２０４に進んだとき、「Ｎｏ」と判定してステップＳ２０６へ進み、ステップＳ２０２にて取得されたＯＡＭ情報を、当該パケットに追加する。その後、転送装置２１は、ステップＳ２０８へ進み、ＯＡＭ情報が追加されたパケットを送信する。
【００８０】
また、転送装置２１は、パケットがＯＡＭ情報を含み、且つ、ＯＡＭ情報に基づくＯＡＭ処理の実行が未完でない（即ち、ＯＡＭ処理の実行が完了している）場合において、ステップＳ２０５に進んだとき、「Ｎｏ」と判定してステップＳ２０７へ進む。そして、転送装置２１は、当該パケットに含まれるＯＡＭ情報を、ステップＳ２０２にて取得されたＯＡＭ情報に置換する。その後、転送装置２１は、ステップＳ２０８へ進み、ＯＡＭ情報が置換されたパケットを送信する。
【００８１】
なお、転送装置２１は、いずれの送信条件も成立しなかった場合、ステップＳ２０１へ進んだとき、「Ｎｏ」と判定してステップＳ２０８へ直接進む。
また、転送装置２１は、ステップＳ２０２にてＯＡＭ情報を取得できなかった場合（即ち、成立していると判定された送信条件と対応付けられた処理内容情報を、ＯＡＭ情報テーブルが含んでいない場合）、ステップＳ２０３にて「Ｎｏ」と判定してステップＳ２０８へ直接進む。
【００８２】
以上、説明したように、第１実施形態に係る転送装置２１，２２，…によれば、ある通信装置から受信し、且つ、他の通信装置へ送信される予定の単位データ（本例では、パケット）の送信が、ＯＡＭ単位データの送信が終了するまで待機されることを回避することができる。従って、送信先の通信装置によって単位データが受信される時点間の間隔の変動を抑制することができる。
【００８３】
更に、第１実施形態に係る転送装置２１，２２，…は、予め設定された送信周期が経過する毎に受信される単位データに、ＯＡＭ情報を追加するように構成される。
これによれば、ＯＡＭ情報を送信すべき時点（即ち、送信条件が成立した時点）から、当該ＯＡＭ情報を含む単位データの送信が過度に遅れることを防止することができる。
【００８４】
加えて、第１実施形態に係る転送装置２１，２２，…は、通信装置間の接続を確認するためのＣＣ機能において設定される、ＣＣＭの送信周期、又は、当該ＣＣ機能において設定される、ＣＣＭを受信する間隔の上限となる閾値よりも短い周期を、送信周期として用いる単位データに、ＯＡＭ情報を追加するように構成される。
これによれば、ＣＣ機能を適切に実現することができる。
【００８５】
更に、第１実施形態に係る転送装置２１，２２，…は、同期通信を行う複数の通信網間のデータを中継する通信網を構成する。
ところで、同期通信を行う複数の通信網間のデータを中継する通信網において、単位データは、予め設定された送信周期が経過する毎に送信される。従って、上記のように構成された転送装置によれば、ＯＡＭ機能を適切に実現することができる。
【００８６】
加えて、第１実施形態に係る転送装置２１，２２，…は、実際に転送されているパケットにＯＡＭ情報を埋め込む（追加する）。従って、パケットのヘッダ分だけ、ＯＡＭ機能を実現するために使用される通信帯域を少なくすることもできる。
【００８７】
ところで、通信システム１が６４ｋｂｐｓ等の比較的低い通信速度を有する疑似ワイヤを収容している場合、パケットに変換されたデータのサイズが、第１の通信網ＮＷＡ１におけるパケットの最小のサイズ（例えば、イーサネット（登録商標）網においては、６４バイト）よりも小さい場合がある。
【００８８】
このような場合、一般に、パケットの末尾に意味を有しないデータを付与するパディング処理が行われる。そこで、第１実施形態に係る転送装置２１，２２，…は、パディング処理において、意味を有しないデータが付与される部分に、ＯＡＭ情報を埋め込む（追加する）ように構成されることが好適である。これにより、物理リンクが有する通信帯域が無駄に使用されることを回避することができる。
【００８９】
＜第２実施形態＞
次に、本発明の第２実施形態に係る転送装置について図９を参照しながら説明する。
第２実施形態に係る転送装置１０００は、ある通信装置から受信した単位データを他の通信装置へ送信する装置である。
【００９０】
更に、この転送装置１０００は、
受信された単位データが、ＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）機能を実現するための情報であるＯＡＭ情報を含む場合において、当該ＯＡＭ情報に対応付けられた所定の処理実行条件が成立しているとき、当該ＯＡＭ情報に基づいてＯＡＭ処理を実行するＯＡＭ処理実行部（ＯＡＭ処理実行手段）１００１と、
所定の送信条件が成立した場合において、受信された単位データがＯＡＭ情報を含まないとき、当該単位データに上記送信条件に対応付けられたＯＡＭ情報を追加した単位データを生成し且つ当該生成された単位データを送信し、一方、上記送信条件が成立した場合において、受信された単位データがＯＡＭ情報を含み、且つ、当該ＯＡＭ情報に基づくＯＡＭ処理の実行が完了しているとき、当該単位データに含まれるＯＡＭ情報を、上記送信条件に対応付けられたＯＡＭ情報に置換した単位データを生成し且つ当該生成された単位データを送信する単位データ送信部（単位データ送信手段）１００２と、
を備える。
【００９１】
これによれば、ある通信装置から受信し、且つ、他の通信装置へ送信される予定の単位データの送信が、ＯＡＭ単位データの送信が終了するまで待機されることを回避することができる。従って、送信先の通信装置によって単位データが受信される時点間の間隔の変動を抑制することができる。
【００９２】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【００９３】
なお、上記各実施形態において転送装置の各機能は、回路等のハードウェアにより実現されていた。ところで、転送装置は、処理装置と、プログラム（ソフトウェア）を記憶する記憶装置と、を備えるとともに、処理装置がそのプログラムを実行することにより、各機能を実現するように構成されていてもよい。この場合、プログラムは、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【００９４】
また、上記実施形態の他の変形例として、上述した実施形態及び変形例の任意の組み合わせが採用されてもよい。
【００９５】
＜付記＞
上記実施形態の一部又は全部は、以下の付記のように記載され得るが、以下には限られない。
【００９６】
（付記１）
ある通信装置から受信した単位データを他の通信装置へ送信する転送装置であって、
受信された単位データが、ＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）機能を実現するための情報であるＯＡＭ情報を含む場合において、当該ＯＡＭ情報に対応付けられた所定の処理実行条件が成立しているとき、当該ＯＡＭ情報に基づいてＯＡＭ処理を実行するＯＡＭ処理実行手段と、
所定の送信条件が成立した場合において、受信された単位データがＯＡＭ情報を含まないとき、当該単位データに前記送信条件に対応付けられたＯＡＭ情報を追加した単位データを生成し且つ当該生成された単位データを送信し、一方、前記送信条件が成立した場合において、受信された単位データがＯＡＭ情報を含み、且つ、当該ＯＡＭ情報に基づくＯＡＭ処理の実行が完了しているとき、当該単位データに含まれるＯＡＭ情報を、前記送信条件に対応付けられたＯＡＭ情報に置換した単位データを生成し且つ当該生成された単位データを送信する単位データ送信手段と、
を備える転送装置。
【００９７】
これによれば、ある通信装置から受信し、且つ、他の通信装置へ送信される予定の単位データの送信が、ＯＡＭ単位データの送信が終了するまで待機されることを回避することができる。従って、送信先の通信装置によって単位データが受信される時点間の間隔の変動を抑制することができる。
【００９８】
（付記２）
付記１に記載の転送装置であって、
前記単位データ送信手段は、予め設定された送信周期が経過する毎に受信される単位データに、前記ＯＡＭ情報を追加するように構成された転送装置。
【００９９】
これによれば、ＯＡＭ情報を送信すべき時点（即ち、送信条件が成立した時点）から、当該ＯＡＭ情報を含む単位データの送信が過度に遅れることを防止することができる。
【０１００】
（付記３）
付記２に記載の転送装置であって、
前記単位データ送信手段は、通信装置間の接続を確認するためのＣＣ（Ｃｏｎｔｉｎｕｉｔｙ  Ｃｈｅｃｋ）機能において設定される、ＣＣＭ（Ｃｏｎｔｉｎｕｉｔｙ  Ｃｈｅｃｋ  Ｍｅｓｓａｇｅ）の送信周期、又は、当該ＣＣ機能において設定される、ＣＣＭを受信する間隔の上限となる閾値よりも短い周期を、前記送信周期として用いる単位データに、前記ＯＡＭ情報を追加するように構成された転送装置。
【０１０１】
これによれば、ＣＣ機能を適切に実現することができる。
【０１０２】
（付記４）
付記１乃至付記３のいずれかに記載の転送装置であって、
同期通信を行う複数の通信網間のデータを中継する通信網を構成する転送装置。
【０１０３】
同期通信を行う複数の通信網間のデータを中継する通信網において、単位データは、予め設定された送信周期が経過する毎に送信される。従って、上記のように構成された転送装置によれば、ＯＡＭ機能を適切に実現することができる。
【０１０４】
（付記５）
付記４に記載の転送装置であって、
擬似ワイヤ・エミュレーション（ＰＷＥ；Ｐｓｅｕｄｏ−Ｗｉｒｅ  Ｅｍｕｌａｔｉｏｎ）を実現するように構成された転送装置。
【０１０５】
（付記６）
ある通信装置から受信した単位データを他の通信装置へ送信する転送装置に適用され、
受信された単位データが、ＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）機能を実現するための情報であるＯＡＭ情報を含む場合において、当該ＯＡＭ情報に対応付けられた所定の処理実行条件が成立しているとき、当該ＯＡＭ情報に基づいてＯＡＭ処理を実行し、
所定の送信条件が成立した場合において、受信された単位データがＯＡＭ情報を含まないとき、当該単位データに前記送信条件に対応付けられたＯＡＭ情報を追加した単位データを生成し且つ当該生成された単位データを送信し、一方、前記送信条件が成立した場合において、受信された単位データがＯＡＭ情報を含み、且つ、当該ＯＡＭ情報に基づくＯＡＭ処理の実行が完了しているとき、当該単位データに含まれるＯＡＭ情報を、前記送信条件に対応付けられたＯＡＭ情報に置換した単位データを生成し且つ当該生成された単位データを送信する、転送装置制御方法。
【０１０６】
（付記７）
付記６に記載の転送装置制御方法であって、
予め設定された送信周期が経過する毎に受信される単位データに、前記ＯＡＭ情報を追加するように構成された転送装置制御方法。
【０１０７】
（付記８）
ある通信装置から受信した単位データを他の通信装置へ送信する転送装置に、
受信された単位データが、ＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）機能を実現するための情報であるＯＡＭ情報を含む場合において、当該ＯＡＭ情報に対応付けられた所定の処理実行条件が成立しているとき、当該ＯＡＭ情報に基づいてＯＡＭ処理を実行し、
所定の送信条件が成立した場合において、受信された単位データがＯＡＭ情報を含まないとき、当該単位データに前記送信条件に対応付けられたＯＡＭ情報を追加した単位データを生成し且つ当該生成された単位データを送信し、一方、前記送信条件が成立した場合において、受信された単位データがＯＡＭ情報を含み、且つ、当該ＯＡＭ情報に基づくＯＡＭ処理の実行が完了しているとき、当該単位データに含まれるＯＡＭ情報を、前記送信条件に対応付けられたＯＡＭ情報に置換した単位データを生成し且つ当該生成された単位データを送信する、処理を実現させるための転送装置制御プログラム。
【０１０８】
（付記９）
付記８に記載の転送装置制御プログラムであって、
予め設定された送信周期が経過する毎に受信される単位データに、前記ＯＡＭ情報を追加するように構成された転送装置制御プログラム。
【産業上の利用可能性】
【０１０９】
本発明は、ある通信装置から受信した単位データを他の通信装置へ送信する転送装置等に適用可能である。
【符号の説明】
【０１１０】
１      通信システム
１１，１２  変換装置
２１，２２，…  転送装置
１００  受信側処理部
１１０  パケット受信部
１２０  受信側パケット処理部
１３０  ＯＡＭ処理部
１３１  パケット解析部
１３２  受信側ＯＡＭ処理部
１３３  ＯＡＭ情報編集部
１３４  ＯＡＭ処理テーブル記憶部
１３５  ＯＡＭ情報テーブル記憶部
２００  送信側処理部
２１０  ＯＡＭ処理部
２１１  パケット解析部
２１２  送信側ＯＡＭ処理部
２１３  ＯＡＭ情報編集部
２１４  ＯＡＭ処理テーブル記憶部
２１５  ＯＡＭ情報テーブル記憶部
２２０  送信側パケット処理部
２３０  パケット送信部
３００  スイッチング処理部
ＮＷＡ１  第１の通信網
ＮＷＳ１  第２の通信網
ＮＷＳ２  第３の通信網
１０００  転送装置
１００１  ＯＡＭ処理実行部
１００２  単位データ送信部
【図１】
2013157683.tif 000003
【図２】
2013157683.tif 000004
【図３】
2013157683.tif 000005
【図４】
2013157683.tif 000006
【図５】
2013157683.tif 000007
【図６】
2013157683.tif 000008
【図７】
2013157683.tif 000009
【図８】
2013157683.tif 000010
【図９】
2013157683.tif 000011